(57)【要約】【課題】外部からの線路端へのサージ侵入時にも絶縁部に印加される電圧を抑制する。【解決手段】線路端巻線の対向する面の形状と同等の周状の形状を有する絶縁性基盤と、絶縁性基盤の表面に設けられた金属箔２２０と、金属箔２２０の一部および線路端巻線と接続された線路端部２５０と、絶縁性基盤の周方向に循環電流が流れないようにするために、絶縁性基盤の表面で金属箔２２０を周方向において不連続とする絶縁部２６０とを備える。絶縁部２６０は、線路端部２５０とは周方向において反対側の位置に形成されている。【選択図】図５
2012134285.tif 000002
【特許請求の範囲】
【請求項１】
変圧器の線路端巻線に隣接して対向するように配置される静電板であって、
前記線路端巻線の対向する面の形状と同等の周状の形状を有する絶縁性基盤と、
前記絶縁性基盤の表面に設けられた導電部と、
前記導電部の一部および前記線路端巻線と接続された線路端部と、
前記絶縁性基盤の周方向に循環電流が流れないようにするために、前記絶縁性基盤の表面で前記導電部を前記周方向において不連続とする絶縁部と
を備え、
前記絶縁部は、前記線路端部とは前記周方向において反対側の位置に形成されている、静電板。
【請求項２】
前記導電部上に配置された短絡板をさらに備え、
前記短絡板においては、一部は前記線路端部から前記絶縁部まで前記周方向における一方向に向けて連続して配置され、残部は前記線路端部から前記絶縁部まで前記一方向とは反対向きの他方向に向けて連続して配置され、かつ、前記一部と前記残部とが略対称配置されている、請求項１に記載の静電板。
【請求項３】
前記導電部は、帯状の金属箔を前記絶縁性基盤に巻き付けることにより設けられ、
前記絶縁部は、前記帯状の金属箔の一端と他端との間に絶縁性部材が配置されることにより設けられた、請求項１または２に記載の静電板。
【請求項４】
前記導電部は、前記絶縁性基盤に導電性材料を塗布することにより設けられ、
前記絶縁部は、前記導電性材料を部分的に塗布しないことにより設けられた、請求項１または２に記載の静電板。
【発明の詳細な説明】
【技術分野】
【０００１】
本発明は、静電板に関し、特に、変圧器巻線の電位振動抑制のために用いられる静電板に関する。
【背景技術】
【０００２】
従来の変圧器の静電板は、隣接巻線の電位振動を抑制するために、絶縁性基盤に金属箔を巻きつけて電極を形成、または、絶縁性基盤に導電性材料を塗布して電極面を形成している。
【０００３】
金属箔を巻きつけて電極を形成する場合には、静電板に浸入する磁束による渦電流損失を抑えるために、短冊状の金属箔を絶縁性基盤に巻きつけて電極を構成する。この場合、金属箔のインピーダンスが高くなり、サージ電圧に対する金属箔の電位追従が遅くなる。そこで、静電板全体の電位追従性を良くするために、金属箔の周囲に短絡銅板が接続される。この短絡銅板を隣接巻線の線路端に接続することにより、静電板の電位を線路端電位に固定している。
【０００４】
一方、導電性材料を塗布して電極を形成する場合には、導電性材料の抵抗が高いため渦電流損失は抑制されるが、導電性材料の高抵抗のために、静電板全体のサージに対する電位追従が遅く、この対策として金属箔を巻きつける場合と同様に、短絡銅板を設けて静電板全体の電位を線路端電位に固定している。
【０００５】
静電板全体は巻線が作る磁場内に配置されるため、金属箔、導電性材料または短絡銅板により静電板の全体を連続して短絡させると、静電板に浸入する磁束により大きな循環電流が流れて、発熱により静電板が損傷する。これを防ぐために、静電板には、金属箔、導電性材料または短絡銅板により静電板の全体で短絡回路が形成されないようにするために、絶縁部が設けられている。
【０００６】
この絶縁部が設けられた静電板を開示した先行文献として、特許文献１がある。特許文献１に記載された静電板においては、絶縁部は工作上の安定性が高い位置である鉄心で囲まれる部分に設けられている。
【先行技術文献】
【特許文献】
【０００７】
【特許文献１】特開２０１０−９２９１５号公報
【発明の概要】
【発明が解決しようとする課題】
【０００８】
通常、上記の絶縁部には、静電板に浸入する磁束によって、コイル１ターン分相当の電位しか発生しないため、絶縁部は薄い絶縁層で形成されていれば十分であり、絶縁部の設けられた位置によって絶縁部に印加される電圧に大きな差はない。
【０００９】
しかし、本発明者らは、絶縁部が上記のように鉄心で囲まれる部分に設けられている場合、外部から線路端に急峻なサージが侵入すると、絶縁部に通常印加される電圧より１桁以上オーダーの高い電圧が発生することを発見した。これは、絶縁部から線路端までの距離が静電板の周方向における一方向とその一方向とは反対方向である他方向とにおいて大きく異なることにより、サージインピーダンスに差が生じて、サージが浸入したときに両方向に発生するサージ電圧に差が出ることに起因するものと考えられる。このように、絶縁部に高いサージ電圧が印加された場合、絶縁部の発生電圧が高くなり、絶縁部が損傷を受けることがある。
【００１０】
本発明は上記の問題点に鑑みてなされたものであって、外部からの線路端へのサージ侵入時にも絶縁部に印加される電圧を抑制することができる、静電板を提供することを目的とする。
【課題を解決するための手段】
【００１１】
本発明に基づく静電板は、変圧器の線路端巻線に隣接して対向するように配置される静電板である。静電板は、線路端巻線の対向する面の形状と同等の周状の形状を有する絶縁性基盤と、絶縁性基盤の表面に設けられた導電部と、導電部の一部および線路端巻線と接続された線路端部と、絶縁性基盤の周方向に循環電流が流れないようにするために、絶縁性基盤の表面で導電部を周方向において不連続とする絶縁部とを備える。絶縁部は、線路端部とは周方向において反対側の位置に形成されている。
【発明の効果】
【００１２】
本発明によれば、静電板において外部からの線路端へのサージ侵入時にも絶縁部に印加される電圧を抑制することができる。
【図面の簡単な説明】
【００１３】
【図１】本発明の実施形態１に係る静電板を備えた外鉄型変圧器の構成を示す断面図である。
【図２】同実施形態に係る静電板に巻きつけられる金属箔と絶縁紙の外観を示す斜視図である。
【図３】同実施形態に係る静電板の絶縁部の構成を示す断面図である。
【図４】図３に示す静電板のＩＶ−ＩＶ線矢印方向から見た図である。
【図５】同実施形態に係る静電板における線路端部と絶縁部との位置関係を示す平面図である。
【図６】本発明の実施形態２に係る静電板における線路端部と絶縁部との位置関係を示す平面図である。
【発明を実施するための形態】
【００１４】
以下、本発明の実施形態１に係る静電板について図面を参照して説明する。以下の実施形態の説明においては、図中の同一または相当部分には同一符号を付して、その説明は繰返さない。
【００１５】
(実施形態１)
図１は、本発明の実施形態１に係る静電板を備えた外鉄型変圧器の構成を示す断面図である。図２は、本実施形態に係る静電板に巻きつけられる金属箔と絶縁紙の外観を示す斜視図である。図３は、本実施形態に係る静電板の絶縁部の構成を示す断面図である。図４は、図３に示す静電板のＩＶ−ＩＶ線矢印方向から見た図である。
【００１６】
図１に示すように、本発明の実施形態１に係る静電板２００を備えた外鉄型変圧器１は、磁性鋼板が積層された鉄心１００と、鉄心１００に巻き回された巻線と、線路端巻線に隣接して対向するように配置された静電板２００とを含む。なお、図１においては、巻線は、静電板２００の紙面奥行き方向側に配置されるため現れていない。
【００１７】
図１〜４に示すように、静電板２００は、線路端巻線の静電板２００に対向する面の形状と同等に周状の形状を有する絶縁性基盤２１０を含む。絶縁性基盤２１０の表面には、導電部である帯状の金属箔２２０上に帯状の絶縁紙２３０が一部ずらして重ねられた状態で巻き付けられている。金属箔２２０は、絶縁性基盤２１０の各々の主表面において、隣接して巻き付けられた金属箔２２０同士が接触しないように巻き付けられて互いに絶縁されている。
【００１８】
図３に示すように、絶縁部２６０は、絶縁性基盤２１０上に金属箔２２０と絶縁紙２３０とを矢印２８０で示す周方向に巻きつけた際の略１周巻き付ける手前の巻き終わり位置に設けられる。絶縁部２６０においては、巻き始め側の一端の金属箔２２０および絶縁紙２３０上に、絶縁性部材である絶縁紙２７０を介して巻き終り側の他端の金属箔２２０および絶縁紙２３０を巻き付けることにより、巻き始め側と巻き終り側の金属箔２２０同士が絶縁部２６０で絶縁される。その結果、絶縁性基盤２１０の表面で金属箔２２０を絶縁性基盤２１０の周方向において不連続として、絶縁性基盤２１０の周方向に循環電流が流れないようにすることができる。
【００１９】
金属箔２２０の一部は、導線で形成された線路端部２５０に接続され、これを介して、線路端巻線に接続されている。短絡板２４０は、金属箔２２０のサージインピーダンスを低減させて、サージ電圧侵入時に絶縁部に発生するサージ電圧を抑制させる機能を有する。短絡板２４０を設けた場合、線路端部２５０から絶縁部２６０までの間のサージインピーダンスは、短絡板２４０のサージインピーダンスが支配的になる。
【００２０】
また、本実施形態においては、静電板２００は、金属箔２２０上に配置された短絡板２４０を含む。短絡板２４０は、静電板２００の縁に沿って設けられ、線路端部２５０に接続されている。その結果、金属箔２２０および短絡板２４０の電位が線路端部２５０の電位に固定されている。短絡板２４０は、金属箔などからなり金属箔２２０に接触した状態で、締め付けて固定されている。
【００２１】
図５は、本実施形態に係る静電板における線路端部と絶縁部との位置関係を示す平面図である。図５に示すように、本実施形態の静電板２００においては、絶縁部２６０は、線路端部２５０とは絶縁性基盤２１０の周方向において反対側の位置に形成されている。
【００２２】
本実施形態においては、短絡板２４０の一部は、線路端部２５０から絶縁部２６０まで絶縁性基盤２１０の周方向における一方向に向けて連続して配置されている。短絡板２４０の残部は、線路端部２５０から絶縁部２６０まで上記一方向とは反対向きの他方向に向けて連続して配置されている。かつ、短絡板２４０の一部と残部とが略対称配置されている。図５においては、短絡板２４０の一部に相当する部分の長さを矢印２９０で示し、短絡板２４０の残部に相当する部分の長さを矢印２９１で示している。
【００２３】
上記の構成によれば、線路端部２５０と絶縁部２６０との間における矢印２９０で示す部分の短絡板２４０と矢印２９１で示す部分の短絡板２４０とにおいてサージインピーダンスがほぼ等しくなるため、線路端部２５０に急峻なサージが侵入した場合のおいても絶縁部２６０の両端に発生する電圧Ｖを低減することができる。
【００２４】
低減された電圧Ｖでは、絶縁部２６０に配置された絶縁紙２７０の絶縁がサージ電圧で損傷することはない。よって、線路端部２５０からサージが侵入した場合においても、絶縁部２６０にダメージが発生することを抑制することができる。
【００２５】
なお、本実施形態においては短絡板２４０を設けたが、短絡板２４０は必ずしも設けなくてもよい。短絡板２４０を設けない場合にも、金属箔２２０におけるサージインピーダンスを絶縁性基盤２１０の周方向の一方側および他方側で略均等にすることにより上記の効果を得ることができる。
【００２６】
以下、本発明の実施形態２に係る静電板について説明する。
(実施形態２)
本実施形態に係る静電板３００は、導電部を金属箔ではなく導電性材料を塗布して形成している点、および、短絡板を静電板の中央部に設けた点のみ異なるため、他の構成については説明を繰り返さない。
【００２７】
図６は、本発明の実施形態２に係る静電板における線路端部と絶縁部との位置関係を示す平面図である。図６に示すように、本実施形態の静電板３００においては、絶縁性基盤の表面に導電性材料を塗布することにより導電部３２０が形成されている。絶縁部３６０は、導電性材料を部分的に塗布しないことにより設けられている。
【００２８】
導電性材料としては、具体的には、主剤として６０質量％〜６５質量％の球晶状のカーボンと、２０質量％〜２５質量％のポリエステル樹脂ワニスと、５質量％〜１０質量％のキシレンと、５質量％〜１０質量％のエチルベンゼンと、１質量％〜５質量％の酢酸−ｎ−ブチルを合計で１００質量％となるように調整し、これに硬化剤としてポリイソシアネート溶液１００質量％をこれらの体積比が４：１となるように混合すればよい。塗布に際して、導電性塗料は、たとえば、２０質量％〜３０質量％の酢酸イソブチルと、５質量％〜１０質量％の芳香族炭化水素系混合溶剤と、４０質量％〜５０質量％のキシレンと、１０質量％〜２０質量％のプロピレングリコールモノメチルエーテルアセテートとからなるシンナーなどの公知の希釈剤を用いて希釈率２５％程度に希釈して用いる。希釈され導電性塗料は公知の方法で塗布および乾燥され導電層が形成される。
【００２９】
短絡板３４０の一部は、線路端部３５０から絶縁部３６０まで絶縁性基盤の周方向における一方向に向けて連続して配置されている。短絡板３４０の残部は、線路端部３５０から絶縁部３６０まで上記一方向とは反対向きの他方向に向けて連続して配置されている。かつ、短絡板３４０の一部と残部とが略対称配置されている。図６においては、短絡板３４０の一部に相当する部分の長さを矢印３９０で示し、短絡板３４０の残部に相当する部分の長さを矢印３９１で示している。
【００３０】
上記の構成によれば、線路端部３５０と絶縁部３６０との間における矢印３９０で示す部分の短絡板３４０と矢印３９１で示す部分の短絡板３４０とにおいてサージインピーダンスがほぼ等しくなるため、線路端部３５０に急峻なサージが侵入した場合のおいても絶縁部３６０の両端に発生する電圧Ｖ’を低減することができる。
【００３１】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００３２】
１  外鉄型変圧器、１００  鉄心、２００，３００  静電板、２１０  絶縁性基盤、２２０  金属箔、２３０，２７０  絶縁紙、２４０，３４０  短絡板、２５０，３５０  線路端部、２６０，３６０  絶縁部、３２０  導電部。
【図１】
2012134285.tif 000003
【図２】
2012134285.tif 000004
【図３】
2012134285.tif 000005
【図４】
2012134285.tif 000006
【図５】
2012134285.tif 000007
【図６】
2012134285.tif 000008